(57)【要約】【課題】変更中の設定を簡易に戻せる画像表示装置と、当該画像表示装置に用いられるリモコンとを提供する。【解決手段】画像表示装置は、表示装置本体とリモコンとを備える。リモコンは、表示装置本体の全ての動作を操作可能なフル操作モード、および、一部を操作可能な簡易操作モードを含む操作モードを切り替えるモード切替手段と、操作モード種別情報を出力するモード種別出力手段とを備える。表示装置本体は、操作モードを判定するモード種別判定手段４７２と、フル操作モードであると表示装置本体の設定を変更可能なメニュー画面を表示させるメニュー表示手段４７５，４４と、変更されるまでの設定を保持する設定保持手段４５と、変更が確定されると変更された設定で保持された設定を更新する設定更新手段４７９と、確定前に操作モードが変更されると、保持された設定に基づいて表示装置本体を制御する動作制御手段４７４とを備える。【選択図】  図６
2007068025.tif 000002
【特許請求の範囲】
【請求項１】
入力する画像情報に基づく画像を表示する画像表示手段を有する表示装置本体と、複数のキーを有し、当該キーの入力操作に応じて前記表示装置本体を遠隔操作するリモコンとを備えた画像表示装置であって、
前記リモコンは、
前記表示装置本体で実行可能な動作のうち、全てを操作可能なフル操作モード、および、一部を操作可能な簡易操作モードを含む操作モードを切り替えるモード切替手段と、
前記操作モードの種別情報を出力するモード種別出力手段とを備え、
前記表示装置本体は、
前記リモコンから入力する前記種別情報に基づく前記操作モードを判定するモード種別判定手段と、
前記操作モードが前記フル操作モードであると判定されると、前記リモコンの操作に応じて当該表示装置本体の設定を変更可能なメニュー画面を表示させるメニュー表示手段と、
前記メニュー画面で変更されるまでの当該表示装置本体の設定を保持する設定保持手段と、
前記メニュー画面での設定変更が確定されると、当該変更された設定で前記設定保持手段により保持された設定を更新する設定更新手段と、
前記メニュー画面での設定変更が確定される前に、前記モード種別判定手段により前記リモコンの操作モードが変更されたと判定されると、前記設定保持手段により保持された設定に基づいて当該表示装置本体の駆動を制御する動作制御手段とを備えることを特徴とする画像表示装置。
【請求項２】
請求項１に記載の画像表示装置において、
前記モード種別出力手段は、前記複数のキーのうちのいずれかのキーが入力されるごとに、前記種別情報を出力することを特徴とする画像表示装置。
【請求項３】
請求項１または請求項２に記載の画像表示装置において、
前記モード種別出力手段は、前記モード切替手段により前記操作モードが切り替えられるごとに、前記種別情報を出力することを特徴とする画像表示装置。
【請求項４】
請求項１から請求項３のいずれかに記載の画像表示装置において、
前記表示装置本体は、
前記メニュー画面での設定変更中に、当該変更中の設定を反映した画像を、前記画像表示手段の画像表示領域の少なくとも一部にプレビュー表示するプレビュー表示手段を備えることを特徴とする画像表示装置。
【請求項５】
請求項４に記載の画像表示装置において、
前記プレビュー表示手段でプレビュー表示される前記設定は、前記画像表示手段上で表示される画像の色合い、コントラスト、および、ガンマ補正のうち少なくともいずれかであることを特徴とする画像表示装置。
【請求項６】
入力する画像情報に基づく画像を表示する画像表示手段を有する表示装置本体を備えた画像表示装置に用いられ、前記表示装置本体に操作信号を出力して当該表示装置本体を遠隔操作するリモコンであって、
前記表示装置本体で実行可能な操作のうち、全てを操作可能なフル操作モード、および、一部を操作可能な簡易操作モードを含む操作モードを切り替えるモード切替手段と、
前記操作モードの種別情報を出力するモード種別出力手段とを備えることを特徴とするリモコン。
【発明の詳細な説明】
【技術分野】
【０００１】
本発明は、入力する画像情報に基づく画像を表示する画像表示手段を有する表示装置本体と、当該表示装置本体を遠隔操作するリモコンとを備えた画像表示装置、および、当該画像表示装置に用いられるリモコンに関する。
【背景技術】
【０００２】
従来、入力する画像情報に応じた画像を形成する画像形成手段と、当該画像形成手段を含む装置全体の制御を行なう制御手段とを備えた画像表示装置が知られている。このような画像表示装置は、例えば、放送信号を受信して、当該放送信号に含まれる画像情報に応じた画像を形成表示するテレビ受像機や、ＰＣ（Personal Computer）等の画像情報出力機器と接続され、当該画像情報出力機器から入力する画像情報に応じた画像を投射するプロジェクタ等が挙げられる。
このような画像表示装置は、前述の画像表示手段および制御手段を備えた表示装置本体と、当該表示装置本体を遠隔操作するリモートコントローラ（以下、「リモコン」と略す場合がある）とを備えて構成される場合がある。
【０００３】
近年、画像表示装置は、機能が飛躍的に向上しており、これらの機能を有効に利用するための設定も増加傾向にある。このため、リモコンの操作領域に多数の操作キーが配設されることとなり、操作に不慣れな使用者にとっては、どのキーがどの操作に対応しているのかを把握しづらいという問題があった。このような問題に対して、キー（スイッチ）の操作機能を表示するリモコンが知られている（例えば、特許文献１参照）。
この特許文献１に記載のリモコン（リモコン送信機）は、キーに指が近付いたことを検出するセンサと、当該キーの操作機能の説明を表示する画像表示手段とを備えている。これによれば、入力されるキーの機能を簡易に把握することができるので、リモコンの操作性を向上することができる。
【０００４】
【特許文献１】特開２００３−７００８２号公報
【発明の開示】
【発明が解決しようとする課題】
【０００５】
しかしながら、リモコンの操作領域に多数のキーが配設されていると、不慣れな使用者によっては不要なキーを入力してしまう可能性があり、誤った設定で変更が確定されてしまう場合がある。
一方、近年では表示装置本体の設定は、当該表示装置本体によって形成表示されるＯＳＤ（On Screen Display）メニュー上で行われることが多くなっている。このため、特許文献１に記載のリモコンでは、どのようなキーの入力操作を行うと、どのような設定がなされるのかが使用者にとって分かりづらく、メニュー画面上で不要な設定に変更されてしまう場合がある。
【０００６】
本発明の目的は、変更中の設定を簡易に戻すことのできる画像表示装置、および、当該画像表示装置に用いられるリモコンを提供することである。
【課題を解決するための手段】
【０００７】
前記した目的を達成するために、本発明の画像表示装置は、入力する画像情報に基づく画像を表示する画像表示手段を有する表示装置本体と、複数のキーを有し、当該キーの入力操作に応じて前記表示装置本体を遠隔操作するリモコンとを備えた画像表示装置であって、前記リモコンは、前記表示装置本体で実行可能な動作のうち、全てを操作可能なフル操作モード、および、一部を操作可能な簡易操作モードを含む操作モードを切り替えるモード切替手段と、前記操作モードの種別情報を出力するモード種別出力手段とを備え、前記表示装置本体は、前記リモコンから入力する前記種別情報に基づく前記操作モードを判定するモード種別判定手段と、前記操作モードが前記フル操作モードであると判定されると、前記リモコンの操作に応じて当該表示装置本体の設定を変更可能なメニュー画面を表示させるメニュー表示手段と、前記メニュー画面で変更されるまでの当該表示装置本体の設定を保持する設定保持手段と、前記メニュー画面での設定変更が確定されると、当該変更された設定で前記設定保持手段により保持された設定を更新する設定更新手段と、前記メニュー画面での設定変更が確定される前に、前記モード種別判定手段により前記リモコンの操作モードが変更されたと判定されると、前記設定保持手段により保持された設定に基づいて当該表示装置本体の駆動を制御する動作制御手段とを備えることを特徴とする。
【０００８】
ここで、簡易操作モードは、表示装置本体で実行可能な動作のうち、一部を操作可能な操作モードであり、例えば、画像情報表示や、入力切替等の操作を実行できる操作モードである。また、より具体的に、画像表示装置がテレビ受像機である場合には、簡易操作モードは、受信する放送局を選択する選局、音量調整等を実行できる操作モードである。
また、フル操作モードは、表示装置本体で実行可能な動作の全てを操作可能な操作モードであり、例えば、表示装置本体の画像表示手段上で表示される画像の明るさ、コントラスト、色合い等の環境設定を行うことができる操作モードである。
【０００９】
本発明によれば、リモコンの操作モードを判定して、当該リモコンの操作モードに変更があった場合に変更中の設定を戻すことができる。
すなわち、リモコンのモード切替手段により切り替えられた操作モードの種別情報は、モード種別出力手段により表示装置本体に出力される。一方、表示装置本体のモード種別判定手段は、リモコンから入力する種別情報に基づく操作モードを判定し、当該操作モードがフル操作モードであると判定された場合に、メニュー表示手段がリモコンの操作に応じてメニュー画面を表示する。ここで、設定保持手段がメニュー画面で変更されるまでの表示装置本体の設定を保持しており、当該設定変更が確定されると、変更された設定で設定保持手段により保持された設定を設定更新手段が更新する。また、設定変更が確定される前に、モード種別判定手段によりリモコンの操作モードが変更されたと判定されると、動作制御手段は、設定変更中の設定をキャンセルして、設定保持手段に保持された設定に基づいて表示装置本体を駆動制御する。
【００１０】
これによれば、不慣れな使用者が、フル操作モードでのリモコンの操作中に表示装置本体の設定操作が分からなくなった場合に、当該リモコンの操作モードを切り替えることにより、メニュー画面での変更中の設定を、当該変更の確定前であれば簡易にキャンセルすることができる。すなわち、メニュー画面において変更中の設定を変更前の設定に、使用者が戻す必要を無くすことができる。従って、確定前の変更中の設定を、当該変更がなされる前の設定に簡易に戻すことができる。
【００１１】
本発明では、前記モード種別出力手段は、前記複数のキーのうちのいずれかのキーが入力されるごとに、前記種別情報を出力することが好ましい。
本発明によれば、モード種別出力手段により、リモコンのキー入力ごとに操作モードの種別情報が表示装置本体に出力されることとなるので、リモコンの操作モードが変更された場合に、迅速に対応することができる。すなわち、メニュー画面での設定変更中に、フル操作モードから簡易操作モードに切り替わったことをいち早く検出することができる。従って、メニュー画面での変更中の設定を迅速に変更前の設定に戻すことができる。
【００１２】
本発明では、前記モード種別出力手段は、前記モード切替手段により前記操作モードが切り替えられるごとに、前記種別情報を出力することが好ましい。
本発明によれば、リモコンの操作モードが切り替わるごとにモード種別出力手段により、表示装置本体に種別情報が出力されることとなるので、一層迅速にリモコンの操作モードの変更を検出することができる。従って、フル操作モードから簡易操作モードへの変更をより早く検出することができ、より迅速に変更中の設定を変更前の設定に戻すことができる。
【００１３】
本発明では、前記表示装置本体は、前記メニュー画面での設定変更中に、当該変更中の設定を反映した画像を、前記画像表示手段の画像表示領域の少なくとも一部にプレビュー表示するプレビュー表示手段を備えることが好ましい。
ここで、前記プレビュー表示手段でプレビュー表示される前記設定は、前記画像表示手段上で表示される画像の色合い、コントラスト、および、ガンマ補正のうち少なくともいずれかであることが特に好ましい。
【００１４】
本発明によれば、プレビュー表示手段により、表示装置本体の設定状態が画像表示手段の画像表示領域の少なくとも一部に表示されるので、当該プレビューを観察することで、設定状態の把握を容易に行うことができる。
また、このようなプレビューが行われる設定は、表示画像の色合い、コントラストおよびガンマ補正のうち少なくともいずれかであるので、設定状態を一層正確に把握することができ、適切な設定を補助することができる。従って、表示装置本体の設定操作を簡略化することができる。
【００１５】
また、本発明のリモコンは、入力する画像情報に基づく画像を表示する画像表示手段を有する表示装置本体を備えた画像表示装置に用いられ、前記表示装置本体に操作信号を出力して当該表示装置本体を遠隔操作するリモコンであって、前記表示装置本体で実行可能な操作のうち、全てを操作可能なフル操作モード、および、一部を操作可能な簡易操作モードを含む操作モードを切り替えるモード切替手段と、前記操作モードの種別情報を出力するモード種別出力手段とを備えることを特徴とする。
【００１６】
本発明によれば、表示装置本体がリモコンから入力する当該リモコンの操作モードの種別情報を検出して、操作モードの変更に応じて表示装置本体の設定を元に戻す構成を有する場合に、変更中の表示装置本体の設定を簡易に戻すことができる。
すなわち、モード切替手段により変更されるリモコンの操作モードの種別情報が、当該リモコンから表示装置本体に出力される。これによれば、表示装置本体側でリモコンの操作モードの変更を容易に取得することができ、当該変更を表示装置本体が検出した場合に、変更中の設定情報を予め記憶していた設定情報に戻すことができる。従って、このような表示装置本体を有する画像表示装置に好適に用いることができ、リモコンの操作モードの変更に伴って、当該表示装置本体の設定情報を簡易に戻すことができる。
【発明を実施するための最良の形態】
【００１７】
以下、本発明の一実施形態を図面に基づいて説明する。
（１）テレビ受像機１の構成
図１は、テレビ受像機１の内部構成を示すブロック図である。
テレビ受像機１は、本発明の画像表示装置に相当し、入力する画像情報に応じた画像を形成表示する。このテレビ受像機１は、図１に示すように、画像を形成表示する受像機本体３と、当該受像機本体３を遠隔操作するリモコン２とを備えて構成されている。
【００１８】
（２）リモコン２の構成
図２は、リモコン２の概要斜視図である。
リモコン２は、図２に示すように、複数のキーを備え、当該キーの入力に応じた操作信号を、赤外線信号発信部２Ｄにより受像機本体３に出力する。このようなリモコン２は、平面視長手方向の略中央で当該長手方向に直交する方向に回動軸２Ａを有し、当該回動軸２Ａを中心として１８０°回動させリモコン２を開閉させることにより、２つの操作モードが切り替わるように構成されている。
すなわち、通常状態では、リモコン２は閉状態にあり、リモコン２の上面である簡易操作モード用キー配設領域２Ｂに配設された簡易操作モード用キーに対する入力操作が許容されている。一方、リモコン２を開動作させると、フル操作モード用キー配設領域２Ｃが露出し、当該配設領域２Ｃに配置されたフル操作モード用キーに対する入力操作が許容される。
【００１９】
図３は、簡易操作モード用キーのキーレイアウトを説明する図である。
リモコン２を閉状態とした場合には、前述のように、簡易操作モード用キー配設領域２Ｂに配設された簡易操作モード用キーに対する入力操作が許容される。
具体的に、簡易操作モード用キー配設領域２Ｂには、図３に示すように、受像機本体３の電源のオン／オフ操作を実行させる電源キー２Ｂ０１、画像情報の入力ソースを切り替える入力切替キー２Ｂ０２、テレビ視聴の場合にデジタル放送等の放送種別を切り替える放送種別切替キー２Ｂ０３、１〜１２までの数字がそれぞれ標記され受信する放送局を切り替える選局キー２Ｂ０４〜２Ｂ１５、選局上下キー２Ｂ１６、オフタイマを設定するタイマキー２Ｂ１７、消音キー２Ｂ１８および音声調節のための音声上下キー２Ｂ１９が、簡易操作モード用キーとして配設されている。
【００２０】
図４は、フル操作モード用キーのキーレイアウトを説明する図である。
リモコン２を開状態とした場合には、前述のように、フル操作モード用キー配設領域２Ｃが露出し、当該フル操作モード用キー配設領域２Ｃに配設されたフル操作モード用キーに対する入力操作が許容される。
このフル操作モード用キー配設領域２Ｃには、簡易操作モード用キー配設領域２Ｂに配設されたキーよりも多くのキーが配設されている。具体的に、フル操作モード用キー配設領域２Ｃには、簡易操作モード用キーと同様の機能を受像機本体３に実行させる電源キー２Ｃ０１、入力切替キー２Ｃ０２、放送種別切替キー２Ｃ０３、選局キー２Ｃ０４〜２Ｃ１５、選局上下キー２Ｃ１６、タイマキー２Ｃ１７、消音キー２Ｃ１８および音量上下キー２Ｃ１９が配設されている。
【００２１】
また、これらキー２Ｃ０１〜２Ｃ１９の他、フル操作モード用キー配設領域２Ｃには、受像機本体３に表示され、当該受像機本体３の設定を変更するメニュー画面に対する操作を実行させるキーが配設されている。具体的に、フル操作モード用キー配設領域２Ｃには、受像機本体３の設定を変更するためのメニュー画面を表示させるメニュー表示キー２Ｃ２０、「戻る」と標記されメニュー画面を１つ前に戻す「戻る」キー２Ｃ２１、メニュー画面における設定変更を終了する終了キー２Ｃ２２、メニュー画面における項目選択および設定変更のための上下左右のカーソルキー２Ｃ２３、および、選択項目の決定を行わせる決定キー２Ｃ２４等を備えている。
【００２２】
すなわち、リモコン２を開動作させてフル操作モード用キーの入力が許容されるようになると、リモコン２の操作モードはフル操作モードに切り替わる。このフル操作モードでは、受像機本体３で実行可能な全ての操作を行うことができる操作モードである。なお、このフル操作モード時には、簡易操作モード用キーの入力を行った場合でも、当該キーの入力に応じた操作信号の出力は行われないように構成されている。
一方、リモコン２を閉動作させて簡易操作モード用キーの入力が許容されるようになると、リモコン２の操作モードは簡易操作モードに切り替わる。この簡易操作モードで行うことのできる操作は、受像機本体３で実行可能な操作のうち、テレビ視聴に関する操作や音量調整等の一部の操作に限定されている。
【００２３】
図５は、リモコン２の内部構成を示すブロック図である。
リモコン２は、前述のキー２Ｂ０１〜２Ｂ１９，２Ｃ０１〜２Ｃ２４等の他、図５に示すように、センサ２１、信号生成部２２、メモリ２３、信号出力部２４を備えている。
このうち、センサ２１は、リモコン２の開閉状態を検出するものであり、検出結果を信号生成部２２に出力する。
また、メモリ２３は、ＲＡＭ（Random Access Memory）で構成され、信号生成部２２からのデータの書き込み、および、参照に利用される。このメモリ２３には、リモコン２の操作モードの種別が記憶される。
さらに、信号出力部２４は、本発明のモード種別出力手段を構成し、信号生成部２２から入力される操作信号を赤外線信号に変換して、赤外線信号発信部２Ｄ（図２参照）を介して受像機本体３に出力する。
【００２４】
信号生成部２２は、キー２Ｂ０１〜２Ｂ１９，２Ｃ０１〜２Ｃ２４の入力操作に応じた操作信号を生成して、信号出力部２４に出力する。この信号生成部２２は、モード種別出力部２２１、実行信号出力部２２２および信号合成部２２３を機能的に備えている。
モード種別出力部２２１は、センサ２１から入力するリモコン２の開閉状態の検出結果から操作モードを設定し、当該操作モードに応じた種別信号を生成して信号合成部２２３に出力する。このモード種別出力部２２１は、状態判定部２２１１、操作モード切替部２２１２および種別信号生成部２２１３を備えている。
【００２５】
状態判定部２２１１は、センサ２１からの検出結果から、リモコン２の操作モードがフル操作モードであるのか、簡易操作モードであるのかを判定する。具体的に、状態判定部２２１１は、リモコン２の開閉状態が切り替わったタイミングで操作モードを特定し、特定した操作モード種別情報を含む制御信号を、操作モード切替部２２１２および種別信号生成部２２１３に出力する。
操作モード切替部２２１２は、本発明のモード切替手段に相当し、状態判定部２２１１から制御信号が入力すると、当該制御信号に含まれる操作モード種別情報を取得し、当該操作モード種別情報をメモリ２３に記憶させる。
【００２６】
種別信号生成部２２１３は、本発明のモード種別出力手段を構成し、状態判定部２２１１からの制御信号が入力すると、当該制御信号に含まれる操作モード種別情報を取得し、当該操作モード種別情報に基づく種別信号を生成して信号合成部２２３に出力する。また、種別信号生成部２２１３は、実行信号出力部２２２の後述する入力キー取得部２２２１から制御信号が入力すると、メモリ２３を参照して操作モード種別情報を取得し、当該操作モード種別情報に基づく種別信号を生成して信号合成部２２３に出力する。
【００２７】
実行信号出力部２２２は、キー２Ｂ０１〜２Ｂ１９，２Ｃ０１〜２Ｃ２４の入力操作に応じて受像機本体３に所定の機能を実行させる実行信号を生成して、当該実行信号を信号合成部２２３に出力する。この実行信号出力部２２２は、入力キー取得部２２２１および実行信号生成部２２２２を備えている。
入力キー取得部２２２１は、それぞれのキー２Ｂ０１〜２Ｂ１９，２Ｃ０１〜２Ｃ２４と電気的に接続され、いずれかのキーの入力があると当該入力されたキーを特定し、特定したキーの種別情報を含む制御信号を実行信号生成部２２２２およびモード種別出力部２２１の種別信号生成部２２１３に出力する。
実行信号生成部２２２２は、入力キー取得部２２２１から制御信号が入力すると、当該制御信号に含まれるキー種別情報に基づく実行信号を生成する。そして、実行信号生成部２２２２は、生成した実行信号を信号合成部２２３に出力する。
【００２８】
信号合成部２２３は、本発明のモード種別出力手段を構成し、モード種別出力部２２１の種別信号生成部２２１３から入力する種別信号、および、実行信号出力部２２２の実行信号生成部２２２２から入力する実行信号を合成して操作信号を生成する。そして、信号合成部２２３は、生成した操作信号を信号出力部２４に出力する。
なお、信号合成部２２３は、操作モードが切り替わった場合などで種別信号生成部２２１３のみから信号入力があった場合には、無意味な信号を実行信号として種別信号に付加して操作信号を生成し、当該操作信号を信号出力部２４に出力する。
【００２９】
このようなリモコン２では、それぞれのキー２Ｂ０１〜２Ｂ１９，２Ｃ０１〜２Ｃ２４の入力操作が行われると、当該キー入力に基づく実行信号と、操作モードを示す種別信号とが合成された操作信号が受像機本体３に出力されるので、受像機本体３では、リモコン２がどの操作モードにあるのかを迅速かつ簡易に検出することができる。
また、操作モードが切り替わったタイミングで、モード種別出力部２２１の種別信号生成部２２１３から種別情報が出力され、当該種別情報に基づく操作信号が生成出力されるので、受像機本体３は、リモコン２の操作モードの変更を迅速に取得することができる。
【００３０】
（３）受像機本体３の構成
受像機本体３は、前述のように、入力する画像情報、例えば、テレビ放送に含まれる画像情報に基づく画像を形成表示するものであり、本発明の表示装置本体に相当する。この受像機本体３は、図１に示すように、制御基板４、音声出力部５、画像表示部６、リモコンインターフェース（以下、「リモコンＩＦ」と略す場合がある）７および操作パネル８を備えて構成されている。
【００３１】
このうち、音声出力部５は、スピーカ等を備えて構成され、制御基板４の後述する音声処理回路４３から入力する音声情報に基づく音声を出力する。
画像表示部６は、本発明の画像表示手段に相当し、詳しい図示を省略したが、液晶パネルと、当該液晶パネルを駆動する液晶駆動回路とを備えて構成されている。この画像表示部６では、後述する制御基板４の画像処理回路４４から入力する画像情報に応じて液晶駆動回路が液晶パネルを駆動させることにより、当該画像情報に応じた画像が液晶パネル上で形成表示される。
【００３２】
リモコンＩＦ７は、前述のリモコン２から出力された赤外線信号を受信して、当該赤外線信号を制御基板４で処理できる操作信号にデジタル変換して、当該操作信号を制御基板４の後述する制御回路４７に出力する。
操作パネル８は、詳しい図示を省略するが、電源キー、選局上下キーおよび音声上下キー等の機能キーを備え、当該キーの入力に応じた操作信号を制御基板４の制御回路４７に出力する。
【００３３】
（４）制御基板４の構成
制御基板４は、受像機本体３の装置全体を制御する回路基板として構成されている。この制御基板４は、図１に示すように、チューナ４１、ＡＶスイッチ４２、音声処理回路４３、画像処理回路４４、ＲＯＭ（Read Only Memory）４５、ＲＡＭ（Random Access Memory）４６および制御回路４７を備えて構成されている。
このうち、チューナ４１は、使用者が選択したチャンネルに応じた周波数の放送信号を選択して受信し、一定周波数の信号に変換してＡＶスイッチ４２に出力する。このチューナ４１は、制御回路４７から入力する制御信号に応じて受信するチャンネルを変更する。
【００３４】
ＡＶスイッチ４２は、チューナ４１により変換された信号から、画像情報および音声情報を分離抽出し、抽出した音声情報を音声処理回路４３に出力し、同じく抽出した画像情報を画像処理回路４４に出力する。
音声処理回路４３および画像処理回路４４は、後述する制御回路４７の制御下で、ＡＶスイッチ４２から入力する音声情報および画像情報を処理して、当該音声情報および画像情報に基づく音声信号および画像信号を生成する。この際、音声処理回路４３および画像処理回路４４は、後述するＲＯＭ４５に記憶された受像機本体３の設定情報を参照して、当該設定情報に応じた音声信号および画像信号を生成する。そして、音声処理回路４３は、生成した音声信号を音声出力部５に出力し、画像処理回路４４は、生成した画像信号を画像表示部６に出力する。
【００３５】
また、画像処理回路４４は、本発明のメニュー表示手段を構成し、後述する制御回路４７のメニュー画面生成部４７５から入力するメニュー画面の画像情報を組み立てて画像表示部６に出力し、当該画像情報に応じたメニュー画面を表示させる。
さらに、画像処理回路４４は、後述する制御回路４７のプレビュー画像生成部４７８の制御下で、ＲＡＭ４６に記憶された設定情報に応じたプレビュー画像を生成出力する。すなわち、画像処理回路４４は、本発明のプレビュー表示手段を構成する。
【００３６】
ＲＯＭ４５は、電気的に書換可能なフラッシュメモリで構成され、後述する制御回路４７で実行されるプログラムや、当該プログラムの実行時に利用される各種データが記憶されている。具体的に、ＲＯＭ４５には、プログラムとして、受像機本体３を制御するための制御プログラム、後述する操作信号実行処理ＳＢを実行するための操作信号実行プログラム等が記憶されている。また、データとして、画像表示部６に表示されるＯＳＤ（On Screen Display）メニューのテンプレート画像データ等の他、受像機本体３の設定情報が記憶されている。すなわち、ＲＯＭ４５は、本発明の設定保持手段に相当する。
ＲＡＭ４６は、ＲＯＭ４５に記憶されたプログラムやデータが制御回路４７で処理される際に、当該プログラムおよびデータの一部または全部が、一時的に記憶される。また、ＲＡＭ４６には、使用中のリモコン２の操作モード種別情報が記憶される。
【００３７】
（５）制御回路４７の構成
図６は、制御回路４７の機能分類を示すブロック図である。
制御回路４７は、ＣＰＵ（Central Processing Unit）等を備えて構成され、ＲＯＭ４５に記憶されたプログラムを読み込んで制御基板４を自律的に制御する他、リモコンＩＦ７および操作パネル８から入力する制御信号に基づいて制御基板４を制御して、受像機本体３の装置全体を制御する。
このため、制御回路４７は、図６に示すように、信号分離部４７１、モード種別判定部４７２、モード更新部４７３、動作制御部４７４、メニュー画面生成部４７５、設定保持部４７６、変更取得部４７７、プレビュー画像生成部４７８および設定更新部４７９を機能的に備えている。
【００３８】
信号分離部４７１は、リモコンＩＦ７から入力する操作信号から、リモコン２の操作モードを示す種別信号と、受像機本体３に所定の動作を実行させる実行信号とを分離抽出する。そして、信号分離部４７１は、抽出した種別信号をモード種別判定部４７２に出力し、同じく抽出した実行信号を動作制御部４７４に出力する。また、操作パネル８から制御信号が入力した場合には、当該制御信号には種別信号が含まれていないので、当該制御信号から実行信号を抽出して、抽出した実行信号を動作制御部４７４に出力する。
【００３９】
モード種別判定部４７２は、本発明のモード種別判定手段に相当し、信号分離部４７１から入力する種別信号と、ＲＡＭ４６に記憶されているリモコン２の操作モード種別情報とを比較して、当該種別情報が入力する直前まで使用していたリモコン２の操作モードが変更されたか否かを判定する。そして、操作モードが変更されたと判定した場合には、モード種別判定部４７２は、モード更新部４７３に、変更された操作モードを示す操作モード種別情報を含む制御信号を出力する。また、モード種別判定部４７２は、操作モードの変更の有無に関らず、入力した種別情報に基づく操作モード種別情報を動作制御部４７４に出力する。
モード更新部４７３は、モード種別判定部４７２から制御信号が入力すると、当該制御信号に含まれる操作モード種別情報を取得して、当該種別情報でＲＡＭ４６に記憶されていた種別情報を上書きする。
【００４０】
動作制御部４７４は、本発明の動作制御手段に相当し、ＲＯＭ４５に記憶された受像機本体３の設定情報に基づいて、制御基板４の駆動を制御する。また、動作制御部４７４は、モード種別判定部４７２から入力する操作モード種別情報、および、信号分離部４７１から入力する実行信号に基づいて、所定の処理を実行する。例えば、動作制御部４７４は、音量調節を指示する実行信号が入力した場合や、受信する放送局を切り替える実行信号が入力した場合には、音声処理回路４３およびチューナ４１に制御信号を出力して、音量調節および選局切替を実行させる。
また、動作制御部４７４は、メニュー表示中に、リモコン２からメニュー表示可能なフル操作モードではなく簡易操作モードの種別信号を含む操作信号が入力した場合に、メニュー画面から例えばテレビ番組画像等の通常画面に切り替える。
さらに、動作制御部４７４は、受像機本体３の設定情報の変更に係る実行信号が入力した場合、メニュー画面生成部４７５、設定保持部４７６、変更取得部４７７、プレビュー画像生成部４７８および設定更新部４７９に制御信号を出力し、後述する処理を実行させる。
【００４１】
メニュー画面生成部４７５は、本発明のメニュー表示手段を構成し、動作制御部４７４から制御信号が入力すると、ＲＯＭ４５に記憶された画像テンプレートに基づいて、当該制御信号に応じたメニュー画面を生成する。
設定保持部４７６は、動作制御部４７４から制御信号が入力すると、ＲＯＭ４５に記憶された受像機本体３の設定情報をＲＡＭ４６にコピーして、当該設定情報を一時的に保持する。また、設定保持部４７６は、動作制御部４７４からメニュー画面における設定項目の確定を示す制御信号が入力した場合に、後述する設定更新部４７９によるＲＯＭ４５の設定情報の更新後、当該設定情報を取得してＲＡＭ４６にコピーし、当該設定情報を一時的に保持する。
【００４２】
変更取得部４７７には、メニュー画面において受像機本体３の設定状態が変更された場合に動作制御部４７４から制御信号が入力する。この変更取得部４７７は、動作制御部４７４を介して入力する実行信号を解析して、メニュー画面における設定状態の変更内容を取得する。そして、変更取得部４７７は、取得した設定情報の変更内容を、ＲＡＭ４６に一時的に記憶した設定情報に反映させるとともに、当該変更内容をプレビュー画像生成部４７８および設定更新部４７９に出力する。
【００４３】
プレビュー画像生成部４７８は、本発明のプレビュー表示手段を構成し、前述の画像処理回路４４とともに本発明のプレビュー表示手段を構成し、変更取得部４７７から設定情報の変更内容が入力すると、当該変更内容を反映させたプレビュー画像の画像情報を画像処理回路４４により生成させて、表示中のメニュー画面の一部に表示させる。具体的に、プレビュー画像生成部４７８によりプレビュー画像が生成される際のメニュー画面における設定項目は、画像表示部６で表示される画像の色合い、コントラストおよびガンマ補正等とされている。
これにより、メニュー画面での画質設定の際に、変更内容を確認しながら設定操作を行うことができるので、当該画質設定操作を簡易に行うことができる。
【００４４】
設定更新部４７９は、本発明の設定更新手段に相当し、動作制御部４７４からメニュー画面における設定項目の確定を示す制御信号が入力した場合に動作し、当該制御信号が入力し、また、変更取得部４７７から設定情報の変更内容が入力すると、ＲＡＭ４６に一時的に記憶され、メニュー画面上で設定情報の変更があった場合に変更取得部４７７によって当該変更が反映される設定情報で、ＲＯＭ４５に記憶されていた設定情報を上書きする。これにより、メニュー画面にて変更された設定がＲＯＭ４５に記憶された設定情報に反映される。
【００４５】
ここで、制御回路４７に入力する制御信号に基づく処理を整理する。
リモコンＩＦ７から操作信号が制御回路４７に入力すると、当該操作信号は、信号分離部４７１により分離され、操作信号に含まれる種別信号および実行信号のうち、種別信号がモード種別判定部４７２に出力され、実行信号が動作制御部４７４に出力される。
種別信号が入力したモード種別判定部４７２は、当該種別信号からリモコン２の操作モードを判定し、直前までのリモコン２の操作モードから変更があったか否かを判定する。そして、変更があった場合には、モード更新部４７３によりＲＡＭ４６に記憶していた操作モード種別情報を上書きするとともに、メニュー表示中であった場合には、動作制御部４７４がＲＯＭ４５の設定情報に基づいて、画面表示を通常表示に切り替える。
【００４６】
また、実行信号が入力した動作制御部４７４は、当該実行信号に応じた機能を実行する。この実行信号がメニュー表示を促す実行信号であった場合、動作制御部４７４は、メニュー画面生成部４７５によりメニュー画面を生成表示させる。また、この際、設定保持部４７６により、ＲＯＭ４５に記憶されている受像機本体３の設定情報をＲＡＭ４６にコピーして一時的に保持させる。
そして、メニュー画面にて設定項目の変更があった場合には、変更取得部４７７は、当該変更内容を取得してＲＡＭ４６に保持した設定情報を反映させる。この際、変更された設定項目が色合い、コントラストおよびガンマ補正である場合には、プレビュー画像生成部４７８および画像処理回路４４により、当該変更を反映させたプレビュー画像を生成してメニュー画面上に表示する。
【００４７】
さらに、メニュー画面での設定変更が使用者のリモコン２操作により確定された場合、動作制御部４７４は、設定更新部４７９に制御信号を出力し、変更取得部４７７により取得した変更内容でＲＯＭ４５の設定情報を上書き更新する。これにより、動作制御部４７４は、変更された設定情報に基づいて制御基板４ひいては受像機本体３の駆動を制御する。
換言すると、動作制御部４７４は、常にＲＯＭ４５に記憶された設定情報に基づく受像機本体３の駆動制御を行っており、設定更新部４７９による設定情報の更新処理が行われない限り、メニュー画面上で変更された設定情報に基づく動作制御を行わない。このため、使用者によるリモコン２の入力操作に応じた設定項目の確定がなされる前に、メニュー表示の終了が明示的に行われた場合、および、リモコン２の操作モードがメニュー表示可能なフル操作モードから簡易操作モードに変更された場合には、当該メニュー画面にて行われた設定変更をキャンセルして、ＲＯＭ４５の設定情報に基づく受像機本体３の動作制御を行うこととなる。
【００４８】
（６）操作信号生成処理ＳＡ
図７は、リモコン２で実行される操作信号生成処理ＳＡの処理フローを説明する図である。
リモコン２は、当該リモコン２の状態を、操作信号生成処理ＳＡを実行することで監視し、キー２Ｂ０１〜２Ｂ１９，２Ｃ０１〜２Ｃ２４が入力された場合に当該キー入力に応じた操作信号を生成出力するほか、操作モードが変更された場合にも変更された操作モードの種別を示す種別信号を含む操作信号を生成出力する。
以下に、操作信号生成処理ＳＡについて説明する。
【００４９】
操作信号生成処理ＳＡでは、図７に示すように、まず、リモコン２の操作モードの変更があったか否かを判定する（処理ＳＡ０１）。具体的に処理ＳＡ０１では、センサ２１からの検出結果に基づいて状態判定部２２１１が操作モードの変更があったか否かを判定する。
ここで、状態判定部２２１１が、リモコン２が開状態（フル操作モード）から閉状態（簡易操作モード）に、または、閉状態（簡易操作モード）から開状態（フル操作モード）に変更されたと判定した場合、当該変更されたリモコン２の開閉状態から操作モードを取得し（処理ＳＡ０２）、取得した操作モードの種別情報を含む制御信号を操作モード切替部２２１２および種別信号生成部２２１３に出力する。そして、当該制御信号が入力した操作モード切替部２２１２は、メモリ２３に設定されていた操作モード種別情報を、制御信号に含まれる操作モード種別情報で上書きして変更する（処理ＳＡ０３）。これにより、リモコン２の操作モードが更新される。
【００５０】
また、制御信号が入力した種別信号生成部２２１３は、入力した操作モード種別情報に基づいて種別信号を生成し、生成した種別信号を信号合成部２２３に出力する（処理ＳＡ０４）。この後、信号合成部２２３は、無意味な実行信号を生成し（処理ＳＡ０５）、信号生成部２２は処理ＳＡ１１に移行する。
【００５１】
一方、処理ＳＡ０１での判定において、状態判定部２２１１が、操作モードの変更がないと判定した場合、入力キー取得部２２２１は、キーに対する入力操作があったか否かを判定する（処理ＳＡ０６）。ここで、キー入力操作がないと判定した場合、操作信号生成処理ＳＡは終了する。
また、キー入力操作があったと判定した場合、すなわち、入力キー取得部２２２１がキー入力操作を検出した場合、当該入力キー取得部２２２１は、入力されたキーの種別を取得し（処理ＳＡ０７）、当該取得したキーの種別を含む制御信号を実行信号生成部２２２２および種別信号生成部２２１３に出力する。
【００５２】
処理ＳＡ０７の後、制御信号が入力した実行信号生成部２２２２は、当該制御信号に含まれるキー種別情報に応じた実行信号を生成し（処理ＳＡ０８）、生成した実行信号を信号合成部２２３に出力する。
また、制御信号が入力した種別信号生成部２２１３は、メモリ２３を参照して操作モード種別情報を取得し（処理ＳＡ０９）、取得した操作モード種別情報に基づく種別信号を生成する（処理ＳＡ１０）。そして、種別信号生成部２２１３は、生成した種別信号を信号合成部２２３に出力する。
【００５３】
処理ＳＡ１１では、信号合成部２２３が、生成された種別信号および実行信号を合成して操作信号を生成し、生成した操作信号を信号出力部２４に出力する。そして、信号出力部２４は、入力した操作信号を赤外線信号に変換して、赤外線信号発信部２Ｄを介して受像機本体３に出力する（処理ＳＡ１１）。この後、リモコン２における操作信号生成処理ＳＡを終了する。
【００５４】
この操作信号生成処理ＳＡによれば、操作モードの変更に伴って、変更された操作モードを示す種別信号を含む操作信号が受像機本体３に出力されるので、受像機本体３は、リモコン２の操作モードの変更、および、変更された操作モードを迅速に取得することができる。
また、キー入力に応じて出力される操作信号にも、操作モードの種別信号が含まれているので、受像機本体３は、操作信号の入力ごとにリモコン２の操作モードを取得することができ、使用中のリモコン２の操作モードを迅速かつ確実に取得することができる。
【００５５】
（７）操作信号実行処理ＳＢ
図８は、受像機本体３で実行される操作信号実行処理ＳＢの処理フローを説明する図である。
受像機本体３の制御回路４７は、リモコンＩＦ７を介してリモコン２から操作信号が入力すると、ＲＯＭ４５に記憶された操作信号実行プログラムを読み込んで操作信号実行処理ＳＢを実行し、当該入力した操作信号に応じた機能を実行する。
以下に、操作信号実行処理ＳＢについて説明する。
【００５６】
操作信号実行処理ＳＢでは、図８に示すように、リモコン２から操作信号が入力すると、制御回路４７の信号分離部４７１は、入力した操作信号から、リモコン２の操作モードを示す種別信号と、所定の機能を実行させる実行信号とを分離抽出する（処理ＳＢ０１）。そして、信号分離部４７１は、抽出した種別信号をモード種別判定部４７２および動作制御部４７４に出力するとともに、実行信号を動作制御部４７４に出力する。
【００５７】
種別信号が入力したモード種別判定部４７２は、当該種別信号が示す操作モード種別情報と、ＲＡＭ４６に記憶された操作モード種別情報とを比較して、現在使用中のリモコン２の操作モードが変更されたか否かを判定する（処理ＳＢ０２）。
ここで、同じモードであると判定した場合、制御回路４７は処理ＳＢ０４に移行する。
また、同じモードでないと判定した場合、モード種別判定部４７２は、当該種別信号が示す操作モード種別情報を含む制御信号を、モード更新部４７３および動作制御部４７４に出力する。そして、モード更新部４７３は、入力した制御信号に含まれる操作モード種別情報を取得し、当該操作モード種別情報で、ＲＡＭ４６に記憶された操作モード種別信号を上書きして更新する（処理ＳＢ０３）。
【００５８】
この後、動作制御部４７４は、モード種別判定部４７２から入力する操作モード種別信号に基づいて、操作信号を出力したリモコン２の操作モードがフル操作モードであるのか、あるいは、簡易操作モードであるのかを判定する（処理ＳＢ０４）。
ここで、動作制御部４７４が、リモコン２の操作モードがフル操作モードであると判定した場合には、フル操作モード時実行処理ＳＣを実行し、また、操作モードが簡易操作モードであると判定した場合には、簡易操作モード時実行処理ＳＤを実行する。
これらフル操作モード時実行処理ＳＣまたは簡易操作モード時実行処理ＳＤの終了の後、操作信号実行処理ＳＢは終了する。
【００５９】
（7-1）フル操作モード時実行処理ＳＣ
図９は、制御回路４７で実行されるフル操作モード時実行処理ＳＣの処理フローを説明する図である。
フル操作モード時実行処理ＳＣでは、図９に示すように、動作制御部４７４は、まず、受像機本体３がメニュー画面の表示中であるか否かを判定する（処理ＳＣ０１）。
ここで、メニュー画面表示中でないと判定した場合、動作制御部４７４は、入力した実行信号がメニュー画面を表示させる実行信号であるか否かを判定する（処理ＳＣ０２）。
この判定処理ＳＣ０２において、メニュー画面を表示させる実行信号でないと判定した場合、動作制御部４７４は、当該実行信号に応じた機能を実行し（処理ＳＣ０３）、制御回路４７は、フル操作モード時実行処理ＳＣを終了する。
【００６０】
また、判定処理ＳＣ０２において、メニュー画面を表示させる実行信号であると判定した場合、動作制御部４７４は、設定保持部４７６およびメニュー画面生成部４７５に制御信号を出力する。そして、当該制御信号が入力した設定保持部４７６は、ＲＯＭ４５に記憶された受像機本体３の設定情報を読み込んで、当該設定情報をＲＡＭ４６に一時的にコピーして保持する（処理ＳＣ０４）。一方、制御信号が入力したメニュー画面生成部４７５は、画像処理回路４４とともにメニュー画面を生成表示する（処理ＳＣ０５）。この後、制御回路４７は、フル操作モード時実行処理ＳＣを終了する。
【００６１】
一方、判定処理ＳＣ０１において、動作制御部４７４がメニュー表示中であると判定した場合、当該動作制御部４７４は、入力した実行信号が、メニュー画面における設定項目の内容変更に係る実行信号であるか否かを判定する（処理ＳＣ０６）。
この判定処理ＳＣ０６において、設定項目の内容変更に係る実行信号であると判定した場合、動作制御部４７４は、当該設定項目が変更内容をプレビュー表示する設定項目であるか否か、すなわち、色合い、コントラストおよびガンマ補正等の設定項目であるか否かを判定する（処理ＳＣ０７）。
【００６２】
ここで、プレビュー表示する設定項目でないと判定した場合、動作制御部４７４は、処理ＳＣ０９に移行する。
また、プレビュー表示する設定項目であると判定した場合、動作制御部４７４は、変更取得部４７７に制御信号を出力して、メニュー画面上での変更内容を取得させるとともに、当該変更内容を反映させたプレビュー画像をプレビュー画像生成部４７８により生成させる（処理ＳＣ０８）。この後、動作制御部４７４は、処理ＳＣ０９に移行する。
処理ＳＣ０９では、動作制御部４７４は、変更取得部４７７により、取得した変更内容でＲＡＭ４６に一時的に記憶させた受像機本体３の設定情報を上書き更新させる（処理ＳＣ０９）。この後、制御回路４７は、フル操作モード時実行処理ＳＣを終了する。
なお、この処理ＳＣ０９では、変更内容が確定されていないので、ＲＯＭ４５に記憶された受像機本体３の設定情報は更新されていない。
【００６３】
一方、判定処理ＳＣ０６において、動作制御部４７４が、入力した実行信号が設定項目の内容変更に係る実行信号でないと判定した場合、当該動作制御部４７４は、当該実行信号が設定項目に対する変更内容を確定させる実行信号であるか否かを判定する（処理ＳＣ１０）。
ここで、変更内容を確定させる実行信号でないと判定した場合、例えば、メニュー画面での画面遷移や、メニュー画面の終了である場合には、当該入力した実行信号に応じた機能を実行する（処理ＳＣ１１）。この後、制御回路４７は、フル操作モード時実行処理ＳＣを終了する。
なお、実行信号がメニュー画面の終了であった場合でも、設定項目の変更内容の確定がなされていないので、ＲＯＭ４５に記憶された受像機本体３の設定情報は変更されず、また、フル操作モード時実行処理ＳＣおよび操作信号実行処理ＳＢの終了の後、動作制御部４７４が行う受像機本体３の動作制御は、変更されていないＲＯＭ４５の設定情報に基づく動作制御とされる。
【００６４】
また、判定処理ＳＣ１０において、動作制御部４７４が、変更内容を確定させる実行信号であると判定した場合、当該動作制御部４７４は、変更取得部４７７および設定更新部４７９に制御信号を出力し、変更取得部４７７により変更内容を取得させるとともに（処理ＳＣ１２）、当該変更内容でＲＯＭ４５に記憶された設定情報を設定更新部４７９により更新させる（処理ＳＣ１３）。この後、動作制御部４７４は、設定保持部４７６により、更新された設定情報をＲＯＭ４５から読み出させ、当該設定情報をＲＡＭ４６に一時的に記憶させて保持させる（処理ＳＣ１４）。これにより内容変更が反映された設定情報が保持される。この処理ＳＣ１４の後、制御回路４７は、フル操作モード時実行処理ＳＣを終了する。
【００６５】
このようなフル操作モード時実行処理ＳＣにより、メニュー画面における設定項目の変更内容が確定されるまで、動作制御部４７４が制御基板４ひいては受像機本体３の駆動制御の基礎とする設定情報が更新されないので、簡易に設定情報を元に戻すことができる。
一方、設定項目の内容変更においては、当該設定項目がプレビュー表示項目である場合には、変更内容を反映させたプレビュー画像が表示されるので、変更操作を分かりやすくすることができる。
【００６６】
（7-2）簡易操作モード時実行処理ＳＤ
図１０は、制御回路４７で実行される簡易操作モード時実行処理ＳＤの処理フローを説明する図である。
簡易操作モード時実行処理ＳＤでは、図１０に示すように、動作制御部４７４は、まず、処理ＳＣ０１と同様に、受像機本体３がメニュー画面の表示中であるか否かを判定する（処理ＳＤ０１）。ここで、メニュー表示中でないと判定した場合、動作制御部４７４は、処理ＳＤ０４に移行する。
【００６７】
一方、メニュー表示中であると判定した場合、動作制御部４７４は、ＲＯＭ４５に記憶された受像機本体３の設定情報を取得し（処理ＳＤ０２）、当該設定情報に基づいて制御基板４を制御するとともに、メニュー表示からテレビ画面等の通常表示に切り替える（処理ＳＤ０３）。この後、動作制御部４７４は、処理ＳＤ０４に移行する。
この際、前述のフル操作モード時実行処理ＳＣの処理ＳＣ１３にて、変更内容が確定され当該変更内容がＲＯＭ４５の設定情報に反映されていれば、変更された設定情報に基づく受像機本体３の駆動制御が行われることとなる。一方、変更内容が確定される前に簡易操作モードに切り替わり、当該簡易操作モード時実行処理ＳＤが実行された場合には、当該変更内容が反映されていない設定情報に基づく受像機本体３の駆動制御が行われることとなる。
【００６８】
処理ＳＤ０４では、動作制御部４７４は、入力した実行信号に基づく機能を実行する。具体的に、このような実行信号に基づく機能は、リモコン２の操作モードが簡易操作モードであるので、音量調節、選局および入力切替等の機能となる。
この処理ＳＤ０４の後、制御回路４７は、簡易操作モード時実行処理ＳＤを終了する。
【００６９】
このような簡易操作モード時実行処理ＳＤにより、メニュー画面における設定項目の変更が確定される前に、リモコン２の操作モードが簡易操作モードに変更された場合に、ＲＯＭ４５に記憶された変更前の設定情報に基づいて制御基板４ひいては受像機本体３が制御される。従って、メニュー画面における変更中の設定を簡易に戻すことができる。
【００７０】
以上のような本実施形態のテレビ受像機１により、以下の効果を奏することができる。
すなわち、リモコン２は、メニュー画面を表示させて受像機本体３の設定を変更可能なフル操作モードと、選局等の受像機本体３の一部の機能を実行可能な簡易操作モードとを切り替える操作モード切替部２２１２と、操作モードの種別を示す種別信号を出力する種別信号生成部２２１３、信号合成部２２３および信号出力部２４により、受像機本体３は、リモコン２の操作モードの変更を迅速に取得することができる。
【００７１】
ここで、受像機本体３は、リモコン２から出力された操作信号に含まれる種別情報を取得して、当該リモコン２の操作モードを判定し、フル操作モードであれば、メニュー画面生成部４７５によりメニュー画面を生成表示させる。また、このメニュー画面で変更可能な設定情報は、変更内容が確定されて設定更新部４７９により設定情報の更新がなされるまでＲＯＭ４５に保持されたままとなり、変更が確定されると設定更新部４７９によりＲＡＭ４６に一時的に記憶された設定情報で更新される。そして、設定項目の変更内容が確定される前にリモコン２の操作モードが、メニュー画面での設定項目の変更操作が許容されていない簡易操作モードに変更された場合、当該操作モードの変更を検出して、変更されていないＲＯＭ４５の設定情報に基づいて、動作制御部４７４が受像機本体３の駆動を制御する。
これによれば、メニュー画面での設定変更中でも、当該変更が確定される前にリモコン２の操作モードを簡易操作モードに変更することで、変更中の設定情報をキャンセルして元の設定情報に戻すことができる。従って、変更中の設定を簡易に戻すことができる。
【００７２】
（８）実施形態の変形
本発明は前述の実施形態に限定されるものではなく、本発明の目的を達成できる範囲での変形、改良等は本発明に含まれるものである。
前記実施形態では、リモコン２は、回動軸２Ａを中心とした回動操作によって、フル操作モードと簡易操作モードとを変更可能としたが、本発明はこれに限らない。すなわち、スライド操作等によって操作モードを切り替える構成としてもよい。また、回動操作によって操作モードを切り替える構成とした場合、回動軸の方向は問わない。
また、前記実施形態では、簡易操作モード用キーと、フル操作モード用キーとを分けて設けたが、フル操作モード用キーの一部が簡易操作モード用キーを兼用するようにしてもよい。
【００７３】
前記実施形態では、リモコン２は、当該リモコン２の操作モードの種別を示す種別信号と、受像機本体３に所定の機能を実行させる実行信号とを別に生成し、信号合成部２２３により種別信号および実行信号を合成して操作信号を生成したが、本発明はこれに限らない。すなわち、入力されたキーが属する操作モードの種別情報が予め付加された状態の操作信号を生成するようにしてもよい。
【００７４】
前記実施形態では、液晶パネルを有する画像表示部６を有する受像機本体３を備えるテレビ受像機１を挙げたが、本発明はテレビ受像機に限定されるものではない。すなわち、入力する画像情報に応じた画像を表示する画像表示手段、および、装置本体を制御する制御手段を有する表示装置本体と、当該表示装置本体を遠隔操作する複数のリモコンとを備えた画像表示装置であれば、本発明を採用することが可能である。このような画像表示装置の構成としては、本実施形態で挙げた液晶パネルを有する構成の他に、例えば、プラズマディスプレイ、ＣＲＴ（Cathode-Ray Tube）ディスプレイ、プロジェクタ等の構成を挙げることができる。
【００７５】
また、プロジェクタを本発明の画像表示装置として採用する場合には、当該プロジェクタは、スクリーンを観察する方向から投射を行なうフロントタイプのプロジェクタだけでなく、スクリーンを観察する方向とは反対側から投射を行なうリアタイプのプロジェクタでも適用可能である。
さらに、このようなプロジェクタは、光源からの光束を画像情報に応じて変調して光学像を形成する光変調装置を備えた構成としてもよい。このような光変調装置として、液晶パネル、ＩＬＡ（Image Light Amplifier）素子を用いたデバイス、ＤＭＤ（Digital Micromirror Device）およびＧＬＶ（Grating Light Valve）等を例示することができる。また、光変調装置を設けずに、画像情報に応じてレーザ光を射出するレーザ発振器と、当該レーザ発振器から射出されたレーザ光でスクリーンの縦方向および横方向に走査させて画像を形成する２つのカルバノミラーとを備えたレーザプロジェクタに、本発明を採用してもよい。
【産業上の利用可能性】
【００７６】
本発明は、表示装置本体と、当該表示装置本体を遠隔操作するリモコンとを備えた画像表示装置に利用でき、特に表示装置本体の設定を当該表示装置に表示されるメニュー画面上でリモコンの操作により変更可能なテレビ受像機に好適に利用することができる。
【図面の簡単な説明】
【００７７】
【図１】本発明の一実施形態に係るテレビ受像機の内部構成を示すブロック図。
【図２】前記実施形態におけるリモコンを示す概要斜視図。
【図３】前記実施形態におけるリモコンの簡易操作モード時キーのキーレイアウトを示す図。
【図４】前記実施形態におけるリモコンのフル操作モード時キーのキーレイアウトを示す図。
【図５】前記実施形態におけるリモコンの内部構成を示すブロック図。
【図６】前記実施形態における制御回路の機能分類を示すブロック図。
【図７】前記実施形態における操作信号生成処理の処理フローを示す図。
【図８】前記実施形態における操作信号実行処理の処理フローを示す図。
【図９】前記実施形態におけるフル操作モード時実行処理の処理フローを示す図。
【図１０】前記実施形態における簡易操作モード時実行処理の処理フローを示す図。
【符号の説明】
【００７８】
１…テレビ受像機（画像表示装置）、２…リモコン、３…受像機本体（表示装置本体）、６…画像表示部（画像表示手段）、２４…信号出力部（モード種別出力手段）、４４…画像処理回路（メニュー表示手段，プレビュー表示手段）、４５…ＲＯＭ（設定保持手段）、２２３…信号合成部（モード種別出力手段）、４７２…モード種別判定部（モード種別判定手段）、４７４…動作制御部（動作制御手段）、４７５…メニュー画面生成部（メニュー表示手段）、４７８…プレビュー画像生成部（プレビュー表示手段）、４７９…設定更新部（設定更新手段）、２２１２…操作モード切替部（モード切替手段）、２２１３…種別信号生成部（モード種別出力手段）。
【図１】
2007068025.tif 000003
【図２】
2007068025.tif 000004
【図３】
2007068025.tif 000005
【図４】
2007068025.tif 000006
【図５】
2007068025.tif 000007
【図６】
2007068025.tif 000008
【図７】
2007068025.tif 000009
【図８】
2007068025.tif 000010
【図９】
2007068025.tif 000011
【図１０】
2007068025.tif 000012